(57)【特許請求の範囲】
【請求項１】
インクジェット記録用水性インク及び処理液を含むインクジェット記録用水性インクセットであって、
前記水性インクは、着色剤、水及び浸透剤を含み、
前記水性インクにおける浸透剤は、テトラエチレングリコールモノブチルエーテル及びペンタエチレングリコールモノブチルエーテルを含み、
前記水性インクにおけるテトラエチレングリコールモノブチルエーテル（Ｘ）及びペンタエチレングリコールモノブチルエーテル（Ｙ）の重量比（Ｘ：Ｙ）が、Ｘ：Ｙ＝５０：５０〜９０：１０であり、
前記水性インク全量に対するテトラエチレングリコールモノブチルエーテル（Ｘ）及びペンタエチレングリコールモノブチルエーテル（Ｙ）の合計配合量（Ｘ＋Ｙ）が、Ｘ＋Ｙ＝１重量％〜１０重量％であり、
前記処理液は、凝集剤、水及び浸透剤を含み、
前記処理液における浸透剤が、トリエチレングリコールモノブチルエーテルを含むことを特徴とするインクジェット記録用水性インクセット。
【請求項２】
前記水性インクにおけるテトラエチレングリコールモノブチルエーテル（Ｘ）及びペンタエチレングリコールモノブチルエーテル（Ｙ）の重量比（Ｘ：Ｙ）が、Ｘ：Ｙ＝７０：３０〜８５：１５であることを特徴とする請求項１記載のインクジェット記録用水性インクセット。
【請求項３】
前記処理液全量に対するトリエチレングリコールモノブチルエーテルの配合量が、１重量％〜１０重量％であることを特徴とする請求項１又は２記載のインクジェット記録用水性インクセット。
【請求項４】
インクジェット記録用水性インク及び処理液を含むインクジェット記録用水性インクセットを用いて記録するインクジェット記録方法であって、
記録媒体に前記処理液を付与する工程と、
前記記録媒体に前記水性インクをインクジェット方式により吐出する工程とを有し、
前記水性インクセットとして、請求項１〜３のいずれか一項に記載のインクジェット記録用水性インクセットを用いることを特徴とするインクジェット記録方法。
【請求項５】
インクセット収容部と、処理液付与手段と、インク吐出手段とを含むインクジェット記録装置であって、
前記インクセット収容部に、請求項１〜３のいずれか一項に記載のインクジェット記録用水性インクセットが収容され、
前記水性インクセットを構成する前記処理液が、前記処理液付与手段によって記録媒体に付与され、
前記水性インクセットを構成する前記水性インクが、前記インク吐出手段によって前記記録媒体に吐出されることを特徴とするインクジェット記録装置。
【発明の詳細な説明】
【技術分野】
【０００１】
本発明は、インクジェット記録用水性インクセット、インクジェット記録方法及びインクジェット記録装置に関する。
【背景技術】
【０００２】
記録物の光学濃度（ＯＤ値）を向上させることを目的として、水性インクによるインクジェット記録の前に、前記水性インク中の着色剤を凝集させる多価金属塩等の凝集剤を含む処理液が用いられることがある（例えば、特許文献１参照）。前記水性インク及び前記処理液を組み合わせたインクジェット記録用水性インクセットによれば、記録物の光学濃度（ＯＤ値）が向上するが、処理液を用いることで、記録媒体上の総液量が増加するため、紙面乾燥性が低下する。前記紙面乾燥性とは、水性インク及び処理液を記録媒体上に付与したときの乾燥のしやすさを意味する。
【先行技術文献】
【特許文献】
【０００３】
【特許文献１】特開２００２−７９７４０号公報
【発明の概要】
【発明が解決しようとする課題】
【０００４】
そこで、本発明は、紙面乾燥性の低下を抑制しつつ、記録物の光学濃度（ＯＤ値）を向上可能なインクジェット記録用水性インクセットを提供することを目的とする。
【課題を解決するための手段】
【０００５】
前記目的を達成するために、本発明のインクジェット記録用水性インクセットは、インクジェット記録用水性インク及び処理液を含むインクジェット記録用水性インクセットであって、
前記水性インクは、着色剤、水及び浸透剤を含み、
前記水性インクにおける浸透剤は、テトラエチレングリコールモノブチルエーテル（ｔｅｔｒａ−ＰＢ）及びペンタエチレングリコールモノブチルエーテル（ｐｅｎｔａ−ＰＢ）を含み、
前記水性インクにおけるｔｅｔｒａ−ＰＢ（Ｘ）及びｐｅｎｔａ−ＰＢ（Ｙ）の重量比（Ｘ：Ｙ）が、Ｘ：Ｙ＝５０：５０〜９０：１０であり、
前記水性インク全量に対するｔｅｔｒａ−ＰＢ（Ｘ）及びｐｅｎｔａ−ＰＢ（Ｙ）の合計配合量（Ｘ＋Ｙ）が、Ｘ＋Ｙ＝１重量％〜１０重量％であり、
前記処理液は、凝集剤、水及び浸透剤を含み、
前記処理液における浸透剤が、トリエチレングリコールモノブチルエーテル（ｔｒｉ−ＰＢ）を含むことを特徴とする。
【発明の効果】
【０００６】
本発明のインクジェット記録用水性インクセットでは、前記水性インクに、浸透剤として、ｔｅｔｒａ−ＰＢ及びｐｅｎｔａ−ＰＢを前記特定の重量比で、かつ、前記水性インク全量に対し前記特定の割合で用い、かつ、前記処理液に、浸透剤として、ｔｒｉ−ＰＢを用いているため、紙面乾燥性の低下を抑制しつつ、従来の凝集剤を配合したのみの処理液を用いた水性インクセットと比べ、記録物の光学濃度（ＯＤ値）が更に向上する。
【図面の簡単な説明】
【０００７】
【図１】図１は、本発明のインクジェット記録装置の構成の一例を示す模式図である。
【図２】図２は、本発明のインクジェット記録装置の構成のその他の例を示す模式図である。
【図３】図３（ａ）及び（ｂ）は、本発明のインクジェット記録方法による記録例を示す図である。
【図４】図４は、本発明の実施例におけるメニスカス耐圧の評価方法を説明する摸式図である。
【発明を実施するための形態】
【０００８】
本発明において、水性インクのアンキャップ状態のヘッドに放置したときの吐出安定性に問題があると、アンキャップ状態でヘッドを放置した場合において、できるだけ長時間吐出の安定性を維持させたいところ、所望の維持時間よりも短時間で水性インクが増粘して吐出特性が悪化してしまう。
【０００９】
本発明において、「メニスカス耐圧」とは、不吐出時にインクジェットヘッドのノズルに圧力をかけたとき、ノズルから水性インクが漏れることのない圧力の最高値を意味する。メニスカス耐圧が高い程、ノズルからの水性インクの漏出が抑制され、記録媒体及びインクジェット記録装置内部を水性インクで汚すことがなく、好ましい。
【００１０】
前述のとおり、本発明のインクジェット記録用水性インクセット（以下、「水性インクセット」又は「インクセット」と言うことがある。）は、インクジェット記録用水性インク（以下、「水性インク」又は「インク」と言うことがある。）及び処理液を含む。
【００１１】
まず、前記水性インクについて説明する。前述のとおり、前記水性インクは、着色剤、水及び浸透剤を含む。前記水性インクは、着色剤、水及び浸透剤以外のその他の成分を含んでもよい。
【００１２】
前記着色剤は、顔料又は染料のいずれであってもよい。また、前記着色剤として、顔料及び染料を混合して用いてもよい。
【００１３】
前記顔料は、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００１４】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」、デグサ社製の「カラーブラックＦＷ２００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１５】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１０重量％であり、より好ましくは、２重量％〜８重量％である。
【００１６】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッブルー９、２２、４０、５９、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。
【００１７】
前記水性インク全量に対する前記染料の配合量は、特に限定されず、例えば、０．１重量％〜２０重量％であり、好ましくは、０．３重量％〜１０重量％である。
【００１８】
前記着色剤は、１種類を単独で用いてもよいし、２種類以上を併用してもよい。
【００１９】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００２０】
前記浸透剤は、ｔｅｔｒａ−ＰＢ及びｐｅｎｔａ−ＰＢを含む。前記水性インクにおけるｔｅｔｒａ−ＰＢ（Ｘ）及びｐｅｎｔａ−ＰＢ（Ｙ）の重量比（Ｘ：Ｙ）は、Ｘ：Ｙ＝５０：５０〜９０：１０であり、前記水性インク全量に対するｔｅｔｒａ−ＰＢ（Ｘ）及びｐｅｎｔａ−ＰＢ（Ｙ）の合計配合量（Ｘ＋Ｙ）は、Ｘ＋Ｙ＝１重量％〜１０重量％である。このように、浸透剤として、ｔｅｔｒａ−ＰＢ及びｐｅｎｔａ−ＰＢを前記特定の重量比で、かつ、前記水性インク全量に対し前記特定の割合で用いた前記水性インクは、処理液と併用するか否か拘わらず、アンキャップ状態のヘッドに放置したときの吐出安定性に優れる。さらに、前記水性インクでは、処理液と併用するか否か拘わらず、インクジェットヘッドのノズルにおけるメニスカス耐圧も向上する。前記重量比（Ｘ：Ｙ）は、好ましくは、Ｘ：Ｙ＝７０：３０〜８５：１５であり、より好ましくは、Ｘ：Ｙ＝７５：２５〜８０：２０である。前記合計配合量（Ｘ＋Ｙ）は、好ましくは、Ｘ＋Ｙ＝２重量％〜８重量％であり、より好ましくは、Ｘ＋Ｙ＝２重量％〜５重量％である。
【００２１】
前記水性インクは、ｔｅｔｒａ−ＰＢ及びｐｅｎｔａ−ＰＢ以外の浸透剤を含んでもよい。
【００２２】
前記水性インクは、さらに、湿潤剤を含んでもよい。前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２３】
前記水性インク全量に対する前記湿潤剤の配合量は、例えば、０重量％〜９５重量％であり、好ましくは、５重量％〜８０重量％であり、さらに好ましくは、５重量％〜５０重量％である。
【００２４】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤としては、例えば、ポリビニルアルコール、セルロース、水溶性樹脂等があげられる。
【００２５】
前記水性インクは、例えば、着色剤、水、ｔｅｔｒａ−ＰＢ及びｐｅｎｔａ−ＰＢと、必要に応じて他の添加成分とを、従来公知の方法で均一に混合し、フィルタ等で不溶解物を除去することにより調製できる。
【００２６】
つぎに、前記処理液について説明する。前述のとおり、前記処理液は、凝集剤、水及び浸透剤を含む。前記処理液は、凝集剤、水及び浸透剤以外のその他の成分を含んでもよい。
【００２７】
前記凝集剤は、記録媒体上において、前記水性インク及び前記処理液が接触した際に、前記水性インク中の着色剤を凝集させる機能を有する。前記凝集剤としては、例えば、多価金属塩、カチオン性ポリマー、カチオン性界面活性剤等があげられる。
【００２８】
前記多価金属塩としては、例えば、塩化アルミニウム、臭化アルミニウム、硫酸アルミニウム、硝酸アルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、シュウ酸鉄、乳酸鉄、フマル酸鉄、クエン酸鉄、塩化マグネシウム、臭化マグネシウム、ヨウ化マグネシウム、硫酸マグネシウム、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等があげられる。これらの中でも、カルシウム、マグネシウムの多価金属塩が好ましい。また、着色剤の凝集度合いの観点から、２価の金属塩が好ましい。
【００２９】
前記カチオン性ポリマーとしては、例えば、ポリアミン、ポリアリルアミン、ポリエチレンイミン、ポリビニルアミン、ポリビニルピリジン、ポリエチレンイミン−エピクロルヒドリン反応物、ポリアミド−ポリアミン樹脂、ポリアミド−エピクロルヒドリン樹脂、カチオンデンプン、ポリビニルアルコール、ポリビニルピロリドン、ポリアミジン、カチオンエポキシ樹脂、ポリアクリルアミド、ポリアクリル酸エステル、ポリメタクリル酸エステル、ポリビニルホルムアミド、アミノアセタール化ポリビニルアルコール、ポリビニルベンジルオニウム、ジシアンジアミド・ホルマリン重縮合物、ジシアンジアミド・ジエチレントリアミン重縮合物、エピクロルヒドリン・ジメチルアミン付加重合物、ジメチルジアリルアンモニウムクロライド・ＳＯ２共重合物、ジメチルジアリルアンモニウムクロライド重合物、及びこれらの誘導体等があげられる。また、前記カチオン性ポリマーとしては、例えば、ジメチルアミノエチル−メタクリレート（ＤＭ）、メタクリロイロキシエチル−トリメチルアンモニウム−クロライド（ＤＭＣ）、メタクリロイロキシエチル−ベンジルジメチル−アンモニウムクロライド（ＤＭＢＣ）、ジメチルアミノエチル−アクリレート（ＤＡ）、アクリロイロキシエチル−トリメチルアンモニウム−クロライド（ＤＭＱ）、アクリロイロキシエチル−ベンジルジメチル−アンモニウムクロライド（ＤＡＢＣ）、ジメチルアミノプロピル−アクリルアミド（ＤＭＡＰＡＡ）、アクリルアミドプロピル−トリメチルアンモニウム−クロライド（ＤＭＡＰＡＡＱ）等の水溶性モノマーの少なくとも一つからなる単一モノマー重合体又は複数種のモノマーの共重合体等もあげられる。これらの中でも、ポリアミン、ポリアリルアミン、ポリエチレンイミンが好ましい。
【００３０】
前記カチオン性界面活性剤としては、例えば、第１級、第２級及び第３級アミン塩型化合物、アルキルアミン塩、ジアルキルアミン塩、脂肪族アミン塩、ベンザルコニウム塩、第４級アンモニウム塩、第４級アルキルアンモニウム塩、アルキルピリジニウム塩、イミダゾリニウム塩、スルホニウム塩、ホスホニウム塩、オニウム塩等があげられる。具体的には、例えば、ラウリルアミン、ヤシアミン、ロジンアミン等の塩酸塩、酢酸塩等、ラウリルトリメチルアンモニウムクロライド、セチルトリメチルアンモニウムクロライド、ベンジルトリブチルアンモニウムクロライド、塩化ベンザルコニウム、ジメチルエチルラウリルアンモニウムエチル硫酸塩、ジメチルエチルオクチルアンモニウムエチル硫酸塩、トリメチルラウリルアンモニウム塩酸塩、セチルピリジニウムクロライド、セチルピリジニウムブロマイド、ジヒドロキシエチルラウリルアミン、デシルジメチルベンジルアンモニウムクロライド、ドデシルジメチルベンジルアンモニウムクロライド、テトラデシルジメチルアンモニウムクロライド、ヘキサデシルジメチルアンモニウムクロライド、オクタデシルジメチルアンモニウムクロライド等があげられ、これらの中でも、ジメチルエチルラウリルアンモニウムエチル硫酸塩、ジメチルエチルオクチルアンモニウムエチル硫酸塩、トリメチルラウリルアンモニウム塩酸塩、ドデシルジメチルアンモニウムクロライド、テトラデシルジメチルアンモニウムクロライドが好ましい。
【００３１】
前記処理液全量に対する前記凝集剤の配合量は、特に限定されず、例えば、多価金属塩であれば、例えば、１重量％〜３０重量％であり、好ましくは、５重量％〜２５重量％であり、例えば、カチオン性ポリマーであれば、例えば、０．１重量％〜１５重量％であり、好ましくは、１重量％〜１０重量％であり、例えば、カチオン性界面活性剤であれば、例えば、１重量％〜３０重量％であり、好ましくは、４重量％〜２５重量％である。前記凝集剤は、１種類を単独で用いてもよく、２種類以上を併用してもよい。
【００３２】
前記処理液に用いられる水は、イオン交換水又は純水であることが好ましい。前記処理液全量に対する前記水の配合量は、例えば、他の成分の残部としてもよい。
【００３３】
前記浸透剤は、ｔｒｉ−ＰＢを含む。本発明の水性インクセットは、前記水性インクに、浸透剤として、ｔｅｔｒａ−ＰＢ及びｐｅｎｔａ−ＰＢを前記特定の重量比で、かつ、前記水性インク全量に対し前記特定の割合で用い、かつ、前記処理液に、浸透剤として、ｔｒｉ−ＰＢを用いているため、前記水性インク及び前記処理液の併用により、紙面乾燥性の低下を抑制しつつ、従来の凝集剤を配合したのみの処理液を用いた水性インクセットと比べ、記録物の光学濃度（ＯＤ値）が更に向上する。また、本発明の水性インクセットは、前記水性インク及び前記処理液の双方において、揮発性有機化合物（Ｖｏｌａｔｉｌｅ  Ｏｒｇａｎｉｃ  Ｃｏｍｐｏｕｎｄｓ：ＶＯＣ）の含有量が少ないため、一般的な水性インクセットと比べて環境負荷が低減され、ユーザに対する安全性がより高い。前記処理液全量に対するｔｒｉ−ＰＢの配合量は、特に限定されないが、好ましくは、１重量％〜１０重量％である。
【００３４】
前記処理液は、ｔｒｉ−ＰＢ以外の浸透剤を含んでもよい。
【００３５】
前記処理液は、さらに、湿潤剤を含んでもよい。前記湿潤剤及びその配合量としては、前記水性インクにおける湿潤剤及びその配合量と同様である。
【００３６】
前記処理液は、必要に応じて、さらに、従来公知の添加剤を含んでもよい。前記添加剤としては、前記水性インクにおける添加剤と同様である。
【００３７】
前記処理液は、例えば、凝集剤、水及びｔｒｉ−ＰＢと、必要に応じて他の添加成分とを、従来公知の方法で均一に混合することにより調製できる。
【００３８】
本発明の水性インクセットは、インクカートリッジとして提供することも可能である。例えば、本発明のインクカートリッジは、インク収納部及び処理液収納部を有し、インク収納部に本発明の水性インクが収納され、処理液収納部に本発明の処理液が収納されている。本発明のインクカートリッジにおいて、本発明の水性インク以外の水性インクの収納部を有してもよい。
【００３９】
本発明のインクカートリッジは、別個独立に形成された水性インクカートリッジ及び処理液カートリッジが集合したインクカートリッジ集合体であってもよいし、インク収納部と処理液収納部とを形成するようにその内部が間仕切りされた一体型のインクカートリッジであってもよい。本発明のインクカートリッジの本体としては、例えば、従来公知のものを使用できる。
【００４０】
つぎに、本発明のインクジェット記録方法及びインクジェット記録装置について説明する。
【００４１】
本発明のインクジェット記録方法は、インクジェット記録用水性インク及び処理液を含むインクジェット記録用水性インクセットを用いて記録するインクジェット記録方法であって、記録媒体に前記処理液を付与する工程と、前記記録媒体に前記水性インクをインクジェット方式により吐出する工程とを有し、前記水性インクセットとして、本発明のインクジェット記録用水性インクセットを用いることを特徴とする。
【００４２】
本発明のインクジェット記録装置は、インクセット収容部と、処理液付与手段と、インク吐出手段とを含むインクジェット記録装置であって、前記インクセット収容部に、本発明のインクジェット記録用水性インクセットが収容され、前記水性インクセットを構成する前記処理液が、前記処理液付与手段によって記録媒体に付与され、前記水性インクセットを構成する前記水性インクが、前記インク吐出手段によって前記記録媒体に吐出されることを特徴とする。
【００４３】
本発明のインクジェット記録方法は、例えば、本発明のインクジェット記録装置を用いて実施可能である。前記記録は、印字、印画、印刷等を含む。
【００４４】
本発明のインクジェット記録装置は、例えば、ライン型処理液用吐出ヘッド及びライン型インクジェットヘッド（以下、両者をまとめて「ライン型ヘッド」と言うことがある。）が搭載されたライン型インクジェット記録装置であってもよいし、シリアル型処理液用吐出ヘッド及びシリアル型インクジェットヘッド（以下、両者をまとめて「シリアル型ヘッド」と言うことがある。）が搭載されたシリアル型インクジェット記録装置であってもよい。前記ライン型インクジェット記録装置とは、記録媒体の幅以上の記録幅を持つライン型ヘッドを用い、前記ライン型ヘッドを固定した状態で前記記録媒体の幅方向の記録を一括して行うことができるインクジェット記録装置である。これに対し、前記シリアル型インクジェット記録装置では、シリアル型ヘッド自体が前記記録媒体の記録面の幅方向に移動しながら記録を行う。前記ライン型インクジェット記録装置は、前記シリアル型インクジェット記録装置と比較して、格段に記録速度が速い。本発明の水性インクセットは、紙面乾燥性の低下が抑制され、かつ、水性インクのアンキャップ状態のヘッドに放置したときの吐出安定性及びインクジェットヘッドのノズルにおけるメニスカス耐圧も向上し、水性インク及び処理液双方のＶＯＣの含有量も少ないものなので、前記ライン型インクジェット記録装置による高速記録に適用することが好ましい。
【００４５】
図１の模式図に、本発明のインクジェット記録装置の構成の一例を示す。本例のインクジェット記録装置１０１は、前記ライン型ヘッドを搭載し、記録媒体（例えば、記録用紙）Ｐの上面、すなわち、記録面に対し、インクジェット方式で、本発明の処理液及び水性インクを吐出する構成のライン型インクジェット記録装置である。図示のとおり、このライン型インクジェット記録装置１０１は、１つの処理液用カートリッジ１’と、４つのインクカートリッジ１と、１つの処理液付与手段（ライン型処理液用吐出ヘッド）２’と、４つのインク吐出手段（ライン型インクジェットヘッド）２と、給紙部１１と、排紙部１２と、ベルト搬送機構１３と、ライン型インクジェット記録装置１０１全体を制御する制御装置１６とを主要な構成要素として含む。給紙部１１は、ベルト搬送機構１３の一方の側（図１においては左側）に配置されている。排紙部１２は、ベルト搬送機構１３の他方の側（図１においては右側）に配置されている。
【００４６】
ライン型インクジェット記録装置１０１の内部には、給紙部１１からベルト搬送機構１３を介し、排紙部１２に向かって記録用紙Ｐを搬送する用紙搬送経路が形成されている。この記録用紙Ｐが搬送される方向を、用紙搬送方向Ｘとする。給紙部１１は、用紙ストッカ１１ａと、ピックアップローラ１１ｃとを含む。用紙ストッカ１１ａは、その内部に記録用紙Ｐを積層した状態で収容するものであり、その上面に開口部が形成されている。用紙ストッカ１１ａは、用紙搬送方向Ｘの下流側（図１においては右側、以下、「下流側」と言う。）に向かって傾斜した状態で配置されている。用紙ストッカ１１ａ内には、底面から上方開口部に向かって、バネ１１ｄにより付勢された支持板１１ｂが配置されている。この支持板１１ｂ上に記録用紙Ｐが積層されている。ピックアップローラ１１ｃは、載置モータ（図示せず）により駆動されることで、用紙ストッカ１１ａ内に積層された記録用紙Ｐを上から一枚ずつピックアップする（取り出す）とともに、ピックアップした記録用紙Ｐを下流側に送り出すものである。給紙部１１のすぐ下流側には、用紙検知センサ５９が配置されている。用紙検知センサ５９は、送り出された記録用紙Ｐが、ベルト搬送機構１３の用紙搬送方向Ｘのすぐ上流側（図１においては左側）に位置する記録待機位置Ａに到達したか否かを検知するためのものであり、記録待機位置Ａにある記録用紙Ｐの下流側の端部を検知することができるように調整されている。送り出された記録用紙Ｐは、記録待機位置Ａを通過して、ベルト搬送機構１３に搬送される。
【００４７】
ベルト搬送機構１３は、２つのベルトローラ６及び７と、搬送ベルト８と、プラテン１５と、搬送モータ（図示せず）とを含む。搬送ベルト８は、２つのベルトローラ６及び７の間に掛け渡されるように巻き回されたエンドレスベルトである。搬送ベルト８の外側の面を、外周面８ａとする。プラテン１５は、搬送ベルト８により囲まれた領域内において、後述のライン型処理液用吐出ヘッド２’及び４つのライン型インクジェットヘッド２と対向する位置に配置されている。プラテン１５は、ライン型処理液用吐出ヘッド２’及び４つのライン型インクジェットヘッド２と対向する領域において、搬送ベルト８が下方に撓まないように搬送ベルト８を支持するものである。ベルトローラ７と対向する位置には、ニップローラ４が配置されている。ニップローラ４は、ベルト搬送機構１３に搬送された記録用紙Ｐが、外周面８ａに載置されたときに、この記録用紙Ｐを外周面８ａに押さえつけるものである。前記搬送モータが、ベルトローラ６を回転させると、搬送ベルト８が駆動（回転）する。これにより、搬送ベルト８が、押さえつけられた記録用紙Ｐを粘着保持しつつ、排紙部１２に向けて搬送する。搬送ベルト８のすぐ下流側には、剥離機構１４が設けられている。剥離機構１４は、外周面８ａに粘着されている記録用紙Ｐを、外周面８ａから剥離して、排紙部１２に向けて送るように構成されている。
【００４８】
処理液用カートリッジ１’は、本発明の処理液を含む。４つのインクカートリッジ１は、イエロー、マゼンタ、シアン及びブラックの４色の水性インクを、それぞれ１色ずつ含む。前記４色の水性インクは、本発明の水性インクである。処理液用カートリッジ１’及び４つのインクカートリッジ１は、用紙搬送方向Ｘに沿って、ベルト搬送機構１３上に並べて固定されている。処理液用カートリッジ１’及び４つのインクカートリッジ１それぞれの下端には、ライン型処理液用吐出ヘッド２’及びライン型インクジェットヘッド２が配置されている。搬送ベルト８によって搬送される記録用紙Ｐが、ライン型処理液用吐出ヘッド２’のすぐ下方を通過する際に、記録用紙Ｐの記録面に向けて、まず、処理液吐出面２ａ’から本発明の処理液が吐出される。
【００４９】
前記処理液の吐出は、記録用紙Ｐの記録面の全面でもよく、一部でもよい。一部に吐出する場合、記録用紙Ｐの記録面の少なくとも水性インクによる記録領域が吐出部となる。一部に吐出する場合、吐出部の大きさは、記録領域よりも大きい方がよい。例えば、図３（ａ）に示すように、記録用紙Ｐに対し、文字（Ｘ）を記録する場合は、前記文字の線幅よりも大きな線幅で吐出部４０を形成するように処理液を吐出することが好ましい。また、図３（ｂ）に示すように、記録用紙Ｐに対し、図柄を記録する場合は、前記図柄よりも大きな吐出部５０を形成するように処理液を吐出することが好ましい。
【００５０】
ついで、搬送ベルト８によって搬送される記録用紙Ｐが、４つのライン型インクジェットヘッド２のすぐ下方を順に通過する際に、記録用紙Ｐの記録領域に向けて、インク吐出面２ａからインク滴が吐出される。これにより、記録用紙Ｐの記録領域に所望の画像を形成することができる。本発明の水性インクセットは、紙面乾燥性の低下を抑制しつつ、従来の凝集剤を配合したのみの処理液を用いた水性インクセットと比べ、記録物の光学濃度（ＯＤ値）が更に向上する。さらに、本発明の水性インクセットでは、水性インクのアンキャップ状態のライン型インクジェットヘッドに放置したときの吐出安定性及びライン型インクジェットヘッドのノズルにおけるメニスカス耐圧も向上する。また、本発明の水性インクセットは、前記水性インク及び前記処理液の双方において、ＶＯＣの含有量が少ないため、一般的な水性インクセットと比べて環境負荷が低減され、ユーザに対する安全性がより高い。
【００５１】
図１に示す装置は、ライン型ヘッドを採用するが、本発明は、これに限定されない。前記インクジェット記録装置は、シリアル型ヘッドを採用した装置であってもよい。
【００５２】
図２の模式図に、前記インクジェット記録装置の構成のその他の例を示す。同図において、図１と同一部分には同一符号を付している。本例のインクジェット記録装置１０２は、ライン型インクジェットヘッド２を搭載し、記録用紙Ｐの記録面に対し、スタンプ塗布で、本発明の処理液を付与する構成のライン型インクジェット記録装置である。したがって、本例のライン型インクジェット記録装置１０２では、インクジェット方式による処理液の付与手段（図１における処理液用カートリッジ１’、ライン型処理液用吐出ヘッド２’及び処理液吐出面２ａ’）が無い。これら以外は、本例のライン型インクジェット記録装置１０２の構成は、前述の図１に示す装置と同じである。
【００５３】
図示のように、本例のライン型インクジェット記録装置１０２では、図１における処理液用カートリッジ１’、ライン型処理液用吐出ヘッド２’及び処理液吐出面２ａ’の位置に、スタンプ４１が配置されている。スタンプ４１は、スタンプ部４１ａと処理液収容部４１ｂとを含む。スタンプ部４１ａは、柔軟性のある高吸液性基材から形成されている。記録する場合、スタンプ部４１ａは、記録用紙Ｐの記録面と接触し、処理液収容部４１ｂから供給される本発明の処理液を、記録用紙Ｐの記録面に付与する。その後、図１に示す装置におけるのと同様にして、本発明の水性インクにより、記録用紙Ｐの記録領域に所望の画像を形成する。
【００５４】
図１及び図２に示す装置を用いたインクジェット記録方法のように、本発明の処理液は、前記水性インクの吐出に先立ち記録用紙Ｐに付与する前処理液として使用することが好ましい。これにより、例えば、前記水性インク中の着色剤の凝集効率を高めることができる。ただし、本発明は、これに限定されない。本発明では、記録用紙Ｐに前記水性インクを先に吐出した後、前記処理液を付与してもよいし、前記記録用紙Ｐへの前記処理液の付与と前記水性インクの吐出とを同時に行ってもよい。
【００５５】
図１及び図２に示す装置では、記録用紙Ｐの記録面に対する本発明の処理液の付与をインクジェット方式及びスタンプ塗布で行うが、本発明は、これらに限定されない。前記インクジェット記録装置は、刷毛塗りやローラ塗布等の方式により、記録用紙Ｐの記録面に本発明の処理液が付与されてもよい。
【実施例】
【００５６】
つぎに、本発明の実施例について比較例と併せて説明する。なお、本発明は、下記の実施例及び比較例により限定及び制限されない。
【００５７】
（水性インクの調製）
水性インク組成（表１）における、ＣＡＢ−Ｏ−ＪＥＴ（登録商標）３００を除く成分を、均一に混合しインク溶媒を得た。つぎに、ＣＡＢ−Ｏ−ＪＥＴ（登録商標）３００に前記インク溶媒を加え、均一に混合した。その後、得られた混合物を、東洋濾紙（株）製のセルロースアセテートタイプメンブレンフィルタ（孔径３．００μｍ）でろ過することで、インクジェット記録用水性インク１〜１４を得た。
【００５８】
（処理液の調製）
処理液組成（表２）を、均一に混合して、処理液１〜１０を得た。
【００５９】
【表１】
0005682420.tif 000002
【００６０】
【表２】
0005682420.tif 000003
【００６１】
［実施例１〜１０及び比較例１〜１１］
表３及び表４に示すとおり、前記水性インク及び前記処理液を組み合わせることで、インクセットを得た。
【００６２】
実施例及び比較例の水性インクセットについて、（ａ）光学濃度（ＯＤ値）評価、（ｂ）紙面乾燥性評価、（ｃ）水性インクのアンキャップ状態のヘッドに放置したときの吐出安定性評価、（ｄ）水性インクのメニスカス耐圧評価及び（ｅ）総合評価を、下記の方法により実施した。
【００６３】
（ａ）光学濃度（ＯＤ値）評価
図１に示すライン型ヘッドが搭載されたライン型インクジェット記録装置を用いて、実施例及び比較例の水性インクセットを構成する処理液及び水性インクの連続吐出により、ＸＥＲＯＸ社製の４２００紙に、６００ｄｐｉ、１００％Ｄｕｔｙ、処理液用吐出ヘッド及びインクジェットヘッドの１ノズル当たりの液滴量１４ｐＬでベタ記録を行った。ついで、前記ベタ記録部分の光学濃度（ＯＤ値）を、Ｘ−Ｒｉｔｅ社製の分光測色計ＳｐｅｃｔｒｏＥｙｅ（光源：Ｄ５０、視野角：２°、濃度：ＡＮＳＩ  Ｔ）により測定し、下記の評価基準に従って評価した。
【００６４】
光学濃度（ＯＤ値）評価  評価基準
ＡＡ：ベタ記録部分のＯＤ値が、１．２７以上
Ａ  ：ベタ記録部分のＯＤ値が、１．２４以上１．２７未満
Ｂ  ：ベタ記録部分のＯＤ値が、１．２１以上１．２４未満
Ｃ  ：ベタ記録部分のＯＤ値が、１．２１未満
【００６５】
（ｂ）紙面乾燥性評価
図１に示すライン型ヘッドが搭載されたライン型インクジェット記録装置を用いて、実施例及び比較例の水性インクセットを構成する処理液及び水性インクの連続吐出により、ＸＥＲＯＸ社製の４２００紙に、６００ｄｐｉで１００％ベタを記録し、前記ベタ記録後、紙面上から処理液及び水性インクがなくなるまでの時間を計測し、紙面乾燥性を、下記の評価基準に従って評価した。
【００６６】
紙面乾燥性評価  評価基準
ＡＡ：３秒以内に、紙面上から処理液及び水性インクがなくなった
Ａ  ：３秒を超えて５秒以内に、紙面上から処理液及び水性インクがなくなった
Ｂ  ：５秒を超えて１０秒以内に、紙面上から処理液及び水性インクがなくなった
Ｃ  ：１０秒を超えた後、紙面上から処理液及び水性インクがなくなった
【００６７】
（ｃ）水性インクのアンキャップ状態のヘッドに放置したときの吐出安定性評価
図１に示すライン型ヘッドが搭載されたライン型インクジェット記録装置において、温度４０℃、相対湿度２０％の環境下で、ライン型インクジェットヘッドをキャップをしない状態で７秒間放置した後、実施例及び比較例の水性インクセットを構成する水性インクの吐出により、住友３Ｍ社製のインクジェットプリンタ用ＯＨＰフィルム（商品名：ＣＧ３４１０）に１ドットの横罫線を５本記録し、前記放置なしの連続記録で形成した横罫線（リファレンス）との比較により、水性インクのアンキャップ状態のヘッドに放置したときの吐出安定性を、下記の評価基準に従って評価した。
【００６８】
水性インクのアンキャップ状態のヘッドに放置したときの吐出安定性評価  評価基準
ＡＡＡ：１本目の横罫線からドットの記録遅れ及び不吐出がなく、リファレンスと同等であった
ＡＡ  ：２本目の横罫線からドットの記録遅れ及び不吐出がなく、リファレンスと同等であった
Ａ    ：３本目の横罫線からドットの記録遅れ及び不吐出がなく、リファレンスと同等であった
Ｂ    ：４本目の横罫線からドットの記録遅れ及び不吐出がなく、リファレンスと同等であった
Ｃ    ：５本目の横罫線からドットの記録遅れ及び不吐出がなく、リファレンスと同等であった
【００６９】
（ｄ）水性インクのメニスカス耐圧評価
図４に示すように、実施例及び比較例の水性インクセットを構成する水性インクを、インクカートリッジ３０１からライン型インクジェットヘッド３０に導入した後、吸引ポンプ３２２を停止させ、加圧ポンプ３２１を用いて圧力をかけた。前記圧力を高めていき、ライン型インクジェットヘッド３０のノズルから前記水性インクの漏れが生じたときの圧力を求め、水性インクのメニスカス耐圧を、下記の評価基準に従って評価した。なお、図４において、９１及び９２はジョイントであり、３１０及び３２０はチューブ（水性インクの流路）であり、３０３は廃液タンクである。
【００７０】
水性インクのメニスカス耐圧評価  評価基準
Ａ：５ｋＰａ以上で、水性インクの漏れが生じた
Ｂ：４ｋＰａ以上５ｋＰａ未満で、水性インクの漏れが生じた
Ｃ：４ｋＰａ未満で、水性インクの漏れが生じた
【００７１】
（ｅ）総合評価
実施例及び比較例について、前記（ａ）〜（ｄ）の結果から、下記の評価基準に従って総合評価を行った。
【００７２】
総合評価  評価基準
Ａ：（ａ）〜（ｄ）の結果に、Ｂ又はＣが無かった
Ｂ：（ａ）〜（ｄ）の結果のいずれに、Ｂがあった
Ｃ：（ａ）〜（ｄ）の結果のいずれに、Ｃがあった
【００７３】
実施例の評価結果を、表３に示す。また、比較例の評価結果を、表４に示す。
【００７４】
【表３】
0005682420.tif 000004
【００７５】
【表４】
0005682420.tif 000005
【００７６】
表３に示すとおり、実施例１〜１０の水性インクセットでは、光学濃度（ＯＤ値）、紙面乾燥性、水性インクのアンキャップ状態のヘッドに放置したときの吐出安定性及び水性インクのメニスカス耐圧の全ての評価結果が良好であった。特に、前記水性インクにおいて、前記重量比（Ｘ：Ｙ）を、Ｘ：Ｙ＝７０：３０〜８５：１５とした実施例１〜３及び１０の水性インクセットでは、光学濃度（ＯＤ値）、紙面乾燥性、水性インクのアンキャップ状態のヘッドに放置したときの吐出安定性及び水性インクのメニスカス耐圧がバランス良く向上していた。また、前記処理液において、ｔｒｉ−ＰＢの配合量を１重量％〜１０重量％とした実施例１〜９の水性インクセットでは、光学濃度（ＯＤ値）がより向上していた。また、前記処理液において、浸透剤の配合量を１５．０％とした実施例１０の水性インクセットでは、紙面乾燥性がより向上していた。
【００７７】
一方、表４に示すとおり、前記水性インクにおいて、浸透剤を用いていない比較例１の水性インクセットでは、紙面乾燥性評価及び水性インクのアンキャップ状態のヘッドに放置したときの吐出安定性評価の結果が悪かった。前記水性インクにおいて、ｔｅｔｒａ−ＰＢを用いていない比較例２の水性インクセットでは、水性インクのアンキャップ状態のヘッドに放置したときの吐出安定性評価の結果が悪かった。前記水性インクにおいて、ｐｅｎｔａ−ＰＢを用いていない比較例３の水性インクセットでは、水性インクのメニスカス耐圧評価の結果が悪かった。
【００７８】
前記水性インクにおいて、前記合計配合量（Ｘ＋Ｙ）を１５重量％とした比較例４の水性インクセットでは、水性インクのアンキャップ状態のヘッドに放置したときの吐出安定性評価及び水性インクのメニスカス耐圧評価の結果が悪かった。
【００７９】
前記水性インクにおいて、浸透剤として、ｔｅｔｒａ−ＰＢ及びｐｅｎｔａ−ＰＢに代えて、ジエチレングリコールモノブチルエーテル（ｄｉ−ＰＢ）又はジプロピレングリコールモノプロピルエーテル（ＤＰＰ）を用いた比較例５及び６の水性インクセットでは、水性インクのアンキャップ状態のヘッドに放置したときの吐出安定性評価及び水性インクのメニスカス耐圧評価の結果が悪かった。前記水性インクにおいて、浸透剤として、ｔｅｔｒａ−ＰＢ及びｐｅｎｔａ−ＰＢに代えて、トリエチレングリコールメチルエーテルを用いた比較例７の水性インクセットでは、紙面乾燥性評価及び水性インクのアンキャップ状態のヘッドに放置したときの吐出安定性評価の結果が悪かった。
【００８０】
前記処理液において、浸透剤を用いていない比較例８の水性インクセットでは、紙面乾燥性評価の結果が悪かった。前記処理液において、浸透剤として、ｔｒｉ−ＰＢに代えて、ｄｉ−ＰＢ又はＤＰＰを用いた比較例９及び１０の水性インクセットでは、光学濃度（ＯＤ値）評価の結果が悪かった。前記処理液において、浸透剤として、ｔｒｉ−ＰＢに代えて、トリエチレングリコールメチルエーテルを用いた比較例１１の水性インクセットでは、紙面乾燥性評価の結果が悪かった。
【産業上の利用可能性】
【００８１】
以上のように、本発明の水性インクセットは、紙面乾燥性の低下を抑制しつつ、記録物の光学濃度（ＯＤ値）が向上したものである。本発明の水性インクセットの用途は、特に限定されず、各種のインクジェット記録に広く適用可能である。
【符号の説明】
【００８２】
１、３０１  インクカートリッジ
１’    処理液用カートリッジ
２、３０  ライン型インクジェットヘッド
２’    ライン型処理液用吐出ヘッド
４      ニップローラ
６、７  ベルトローラ
８      搬送ベルト
１１    給紙部
１１ａ  用紙ストッカ
１１ｂ  支持板
１１ｃ  ピックアップローラ
１１ｄ  バネ
１２    排紙部
１３    ベルト搬送機構
１４    剥離手段
１５    プラテン
１６    制御装置
４１    スタンプ
４１ａ  スタンプ部
４１ｂ  処理液収容部
５９    用紙検知センサ
９１、９２  ジョイント
１０１、１０２  ライン型インクジェット記録装置
３０３  廃液タンク
３１０、３１１  チューブ（水性インクの流路）
３２１  吸引ポンプ
３２２  加圧ポンプ
【図１】
0005682420.tif 000006
【図２】
0005682420.tif 000007
【図３】
0005682420.tif 000008
【図４】
0005682420.tif 000009